(57)【要約】    【課題】前板カバーを簡単な構造で前板に容易に装着できるようにする。    【解決手段】外枠２の前板３４に、左右両側と中間部とに前後方向に貫通する貫通穴６１を形成し、前板カバー３５は前板３４に当接してその略全面を前側から覆う前面板部４５と、前面板部４５の上端縁から後方に突出して前板３４を上側から覆う左右方向の上カバー部４６と、前面板部４５の左右両端から後方に屈曲して前板３４を左右両側から覆う横カバー部４７と、前面板部４５の下端から後方に突出する左右方向の下板部４８とを一体に備え、前面板部４５の裏側に、各貫通穴６１に前側から圧入される複数個の突部４０と、各貫通穴６１に前側から挿入されて係脱自在に係合する複数個の係合部４１とを前面板部４５から後方に突出させて一体に形成する。【選択図】図４
2007105527.tif 000002
【特許請求の範囲】
【請求項１】
遊技盤（８）が装着された前枠（５）と、該前枠（５）が縦軸心廻りに開閉自在に装着された外枠（２）とを備えた弾球遊技機において、
前記外枠（２）は左右に対向する一対の縦板（３２）と、上下に対向する一対の横板（３３）と、左右の前記縦板（３２）の下端側の前側にその両者に跨がって設けられた前板（３４）と、該前板（３４）の前側に着脱可能に装着された合成樹脂製の前板カバー（３５）とを備え、
前記前板（３４）に、左右両側と中間部とに前後方向に貫通する貫通穴（６１）を形成し、
前記前板カバー（３５）は前記前板（３４）に当接してその略全面を前側から覆う前面板部（４５）と、該前面板部（４５）の上端縁から後方に突出して前記前板（３４）を上側から覆う左右方向の上カバー部（４６）と、前記前面板部（４５）の左右両端から後方に屈曲して前記前板（３４）を左右両側から覆う横カバー部（４７）と、前記前面板部（４５）の下端から後方に突出する左右方向の下板部（４８）とを一体に備え、
前記前面板部（４５）の裏側に、前記各貫通穴（６１）に前側から圧入される複数個の突部（４０）と、前記各貫通穴（６１）に前側から挿入されて係脱自在に係合する複数個の係合部（４１）とを前記前面板部（４５）から後方に突出させて一体に形成し、
前記下板部（４８）は前記各係合部（４１）に対応する部分を除いて前記前面板部（４５）の左右方向の略全長に設けられていることを特徴とする弾球遊技機。
【発明の詳細な説明】
【技術分野】
【０００１】
本発明は、パチンコ機、アレンジボール機、雀球遊技機等の弾球遊技機、取り分けその外枠に関するものである。
【背景技術】
【０００２】
パチンコ機等の弾球遊技機には、従来、特開平１１−２４４４９４号公報に記載されるように、外枠の前側下部の前板に、合成樹脂製の前板カバーを装着したものがある。この外枠はベニヤ板等の木材により構成され、左右に対向する一対の縦板と、上下に対向する一対の横板とにより矩形枠状に組み立てられ、左右の縦板の下端側の前側にその両者に跨がって前板が固定されている。また外枠の左側には、遊技盤等が装着された前枠が上下のヒンジを介して縦軸心廻りに開閉自在に装着されている。
【０００３】
前板カバーは、その裏側の左右両側に係合部が一体に形成されており、この係合部が前板に形成された係合穴部に挿入されて前板に係合されることによって、前板の前側に着脱自在に装着されている。係合部は上下方向に弾性変形可能な帯板部と、この帯板部の上面側に設けられた係合突起部とによって構成されている。また係合穴部は前板を前後に貫通する正面視４角形状の貫通穴により構成されており、係合穴部に係合部を挿入したときに係合突起部が係合穴部の裏面側の上縁部に係合されるようになっている。
【発明の開示】
【発明が解決しようとする課題】
【０００４】
従来の前板カバーの取り付け構造では、前板の係合穴部の内上壁面と前板カバーの係合部の帯板部の上面との間に隙間があり、その隙間の分だけ前板に対する前板カバーの上下方向へのガタツキが生じて固定できない。仮に、前板と前枠との干渉防止用に前板の上端部に取り付けられた摩擦防止部材に前板カバーの上端部を当接させた場合には、前板カバーの上下方向のガタツキを防止できる。
【０００５】
しかし、この従来の構造では、前板に対する前板カバーの上下方向のガタツキを防止するために、前板の上側に位置決め用の他の部材を別途設ける必要があり、前板カバーの取り付け構造が複雑になって、その装着作業が煩雑になる問題がある。
【０００６】
本発明は、かかる従来の問題点に鑑み、前板の上下の部材の有無に関係なく前板に対して前板カバーを位置決めでき、前板カバーを簡単な構造で容易に装着できる弾球遊技機を提供することを目的とする。
【課題を解決するための手段】
【０００７】
本発明は、遊技盤８が装着された前枠５と、該前枠５が縦軸心廻りに開閉自在に装着さ  れた外枠２とを備えた弾球遊技機において、前記外枠２は左右に対向する一対の縦板３２と、上下に対向する一対の横板３３と、左右の前記縦板３２の下端側の前側にその両者に跨がって設けられた前板３４と、該前板３４の前側に着脱可能に装着された合成樹脂製の前板カバー３５とを備え、前記前板３４に、左右両側と中間部とに前後方向に貫通する貫通穴６１を形成し、前記前板カバー３５は前記前板３４に当接してその略全面を前側から覆う前面板部４５と、該前面板部４５の上端縁から後方に突出して前記前板３４を上側から覆う左右方向の上カバー部４６と、前記前面板部４５の左右両端から後方に屈曲して前記前板３４を左右両側から覆う横カバー部４７と、前記前面板部４５の下端から後方に突出する左右方向の下板部４８とを一体に備え、前記前面板部４５の裏側に、前記各貫通穴６１に前側から圧入される複数個の突部４０と、前記各貫通穴６１に前側から挿入されて係脱自在に係合する複数個の係合部４１とを前記前面板部４５から後方に突出させて一体に形成し、前記下板部４８は前記各係合部４１に対応する部分を除いて前記前面板部４５の左右方向の略全長に設けられているものである。
【発明の効果】
【０００８】
本発明では、前板３４の上下の部材の有無に関係なく前板３４に対して前板カバー３５を位置決めでき、前板カバー３５を簡単な構造で容易に装着できる。
【発明を実施するための最良の形態】
【０００９】
以下、本発明の実施形態を図面に基づいて詳細に説明する。図１〜図９は本発明の第１の実施形態を示し、図１において、１は遊技機本体であり、矩形枠状の外枠２と、この外枠２の左側の上下のヒンジ３，４を介して開閉自在及び着脱自在に枢着された前枠５とを備えている。前枠５にはガラス扉６及び前面板７が装着され、その裏側に遊技盤８が着脱自在に装着されている。
【００１０】
前面板７には、発射用の遊技球を貯留するための上皿９が装着されている。前枠５の下部には、余剰球を貯留するための下皿１０が装着され、この下皿１０の側方に発射手段１１の発射ハンドル１２が配置されている。発射手段１１は、発射ハンドル１２を操作したときに駆動される打撃槌を備え、発射レール上に１個づつ供給される遊技球を打撃槌で打撃して遊技盤８側へと発射させるようになっている。
【００１１】
遊技盤８の前面には、発射手段１１から発射された遊技球を案内するガイドレール１３が環状に装着され、そのガイドレール１３の内側の遊技領域１４内に液晶表示手段１５、第１図柄始動手段１６、可変入賞手段１７、第２図柄始動手段１８、普通入賞手段１９等の複数の遊技部品が装着されている。
【００１２】
図２に示すように、前枠５の裏側には遊技盤８を裏側から押さえる裏機構板２０が開閉自在に装着されている。裏機構板２０には開口部２１が形成され、その上側に遊技球タンク２２及びタンクレール２３が、左右方向の一側に球払い出し手段２４が、下側に通路ユニット２５が夫々設けられている。
【００１３】
開口部２１には、遊技盤８の裏側に装着された裏カバー２６が嵌合されている。裏カバー２６は、遊技盤８に装着された液晶表示手段１５、第１図柄始動手段１６、可変入賞手段１７等の各遊技部品を裏側から覆うためのもので、遊技盤８に着脱自在に固定されている。また裏カバー２６には主制御基板等の各種制御基板を収納した基板ケース２７〜２９が着脱自在に装着され、その下方近傍では各種制御基板を収納した基板ケース３０，３１が裏機構板２０に着脱自在に装着されている。
【００１４】
図３〜図５に示すように、外枠２は左右に対向する一対の縦板３２と、上下に対向する一対の横板３３と、左右の縦板３２の下端側の前側にその両者に跨がって設けられた前板３４と、その前板３４の前側に着脱可能に装着された前板カバー３５とを備えている。また外枠２の左側にはヒンジ３，４のヒンジ板３６，３７が上下に固定されている。なお、ヒンジ３，４は外枠２側のヒンジ板３６，３７と、前枠５側のヒンジ板３６ａ，３７ａとを備えている。
【００１５】
前板３４には、この前板３４を前後に貫通する貫通穴によって構成された複数の位置決め穴部３８及び係合穴部３９が形成され、この位置決め穴部３８及び係合穴部３９に対応して前板カバー３５の裏面側には後方に突出する位置決め突部４０及び係合部４１が前板カバー３５に一体に設けられており、位置決め穴部３８と位置決め突部４０、及び係合穴部３９と係合部４１とによって前板カバー３５が前板３４に位置決めされて係止されている。
【００１６】
縦板３２及び横板３３は帯板状の積層合板等の木材からなり、縦長の矩形枠状に組み合わされて、その対応端がタッピングネジ４２等により着脱自在に固定されている。また下側の横板３３は一対の縦板３２及び上側の横板３３よりも前側に突出しており、その前側突出部３３ａの前端側は側面視において円弧状に形成されている。
【００１７】
前板３４は横長の帯板状の積層合板により構成され、その左右幅は、後述するように左右の縦板３２の左右外端間の寸法よりも僅かに小さく形成されている。そして前板３４は、その下面が横板３３の前側突出部３３ａの上面に、左右両端部の裏面が左右の縦板３２の下端側の前面に夫々当接されて、左右両端部に前側から挿通されたタッピングネジ４２等により縦板３２に固定されている。
【００１８】
前板３４の前面の木目は、そのタッピングネジ４２の挿通される部位に対応して左右両端側が横相に、それ以外の左右方向の中央部側が縦相に夫々構成されており、タッピングネジ４２の挿通によって前板３４の前面側の左右両側が木目に沿って裂けないようにされている。即ち、図６に示すように、前板３４は前面に縦相の木目を有する前板主構成材３４ａと、前面に横相の木目を有する前板副構成材３４ｂとを備え、前板主構成材３４ａの左右両端側にはその厚みの略半分程度だけ前側を切り欠いた切り欠き部４３が形成されており、この切り欠き部４３に前板副構成材３４ｂが接着剤等により固定されて、帯板状の前板３４が構成されている。
【００１９】
なお、外枠２の下端側の左右両端側には、縦板３２、横板３３及び前板３４の内側隅部に補強材４４が設けられ、この補強材４４により縦板３２、横板３３及び前板３４の固定部分が内側から補強されている。
【００２０】
前板カバー３５はＡＢＳ樹脂等の合成樹脂製であって、前板３４の略全面を前側から覆うように装着されている。前板カバー３５は横長の略４角形状の前面板部４５と、その前面板部４５の上端から後方に突出する前板上カバー部４６と、前面板部４５の左右両端から後方に突出する前板横カバー部４７と、前面板部４５の下端から後方に突出する下板部４８とを一体に備え、その前面板部４５、前板上カバー部４６、前板横カバー部４７及び下板部４８の内側に形成された空間に前板３４が嵌合している。また前面板部４５、前板上カバー部４６、前板横カバー部４７及び下板部４８は略同一の厚みに成型されている。
【００２１】
前板カバー３５の前面板部４５は、図４〜図７に示すように、少なくとも前板上カバー部４６及び前板横カバー部４７の厚み寸法分だけ前板３４よりも上側及び左右両側に大きい横長の略４角形状に構成されている。前面板部４５の下部側には左右の両端側を除いた略全長にわたって後側に凹入する凹入部４９が形成されている。また前面板部４５の裏面には、後方に突出する縦方向及び横方向の補強リブ５０が上下方向及び左右方向の略全長にわたって一体に成型されており、その補強リブ５０の後端面が前板３４の前面に当接している。縦方向の補強リブ５０は左右方向に複数本、横方向の補強リブ５０は前面板部４５の上下方向の略中央に１本夫々設けられている。
【００２２】
前板カバー３５の前板上カバー部４６は、図４、図５及び図７に示すように、前面板部４５の上端側に、後方に略水平に突出するように形成されており、前板３４をその上面に当接又は近接した状態で上側から覆っている。また下のヒンジ４のヒンジ板３７が前板３４の上面と左側の縦板３２の内側面とに跨がって外枠２に内側から固定されており、このヒンジ板３７に対応して前板上カバー部４６の左側には切り欠き部５１が形成されている。即ち、前面板部４５には、その左側にヒンジ板３７に対応して上端縁が前板上カバー部４６の厚み寸法程度だけ他の部分よりも低くなった段部５２が形成されており、この段部５２の上端側には前板上カバー部４６が形成されていない。なお、段部５２の上端側には後方に突出する補強リブ５０ａが形成されており、この補強リブ５０ａの後端面が前板３４の前面に当接している。
【００２３】
前板上カバー部４６は、その厚み寸法と略同じ又は若干大きい寸法だけ前板３４の後端から後側に突出しており、その後側突出部４６ａの後端部には左右方向の略全長にわたって上方に突出する立ち壁部５３が一体に成型されている。立ち壁部５３は前板上カバー部４６と略同じ又は若干薄い程度の厚みを有し、その厚みよりも若干大きい程度に前板上カバー部４６の上面から上方に突出している。また前板上カバー部４６の右端側の縦板３２に対応する部分には後側突出部４６ａ及び立ち壁部５３が設けられておらず、前板上カバー部４６の後端面が縦板３２の前面に当接している。
【００２４】
図７に示すように、立ち壁部５３は前枠５の下端部に対応して、前枠５の下面と前板上カバー部４６の上面との間の隙間を後方で塞ぐように設けられている。また立ち壁部５３の前面は閉状態の前枠５の後面よりも後方に配置されており、立ち壁部５３と前枠５とが接触しないようにされている。
【００２５】
前板カバー３５の前板横カバー部４７は、図４〜図６に示すように、前面板部４５の左右両端側の上下方向の略全長に、後方に突出するように形成され、前板３４をその両側面に当接又は近接した状態で横側から覆っており、後端面が縦板３２の前面に当接している。前板３４の左右両端縁は前板横カバー部４７の厚み分だけ縦板３２の左右両外端縁よりも内側にあり、前板横カバー部４７の外側面と縦板３２の外側面とが略面一状になっている。また右側の前板横カバー部４７は、その上端で前板上カバー部４６の右端に連続するように成型されている。
【００２６】
前板カバー３５の下板部４８は、図５〜図７に示すように、前面板部４５の下端側に、後方に突出するように形成され、その突出量は前板横カバー部４７の略半分程度となっている。また下板部４８は、係合部４１に対応する部分、即ち各係合部４１の左右に隣接する縦方向の補強リブ５０の間には設けられていない。一方、前板３４の下端側の前側には、図４及び図７に示すように、左右方向の全長にわたって下板部４８の厚み及び突出量に対応して切り欠かれた挿入部５４が形成されており、この挿入部５４に下板部４８が下側の横板３３の上面に当接又は近接した状態で挿入されている。また右端側及び左端側の下板部４８は、その右端及び左端で前板横カバー部４７の下端に連続するように成型されている。
【００２７】
位置決め突部４０は、図５、図６、図８及び図９に示すように、前板カバー３５の前面板部４５の裏側の左右両端側に、後方に略水平に突出するように前板カバー３５に一体に成型され、その突出量は前板３４の厚みよりも小さくなっている。位置決め突部４０は略円筒状の芯部５５と、その上下及び左右に十字状に形成される等、芯部５５の外周に周方向に略等間隔をおいて形成された周方向に複数個の位置決めリブ５６とを一体に備え、各位置決めリブ５６の後端側が芯部５５向きに傾斜した先細り状に構成されている。
【００２８】
また位置決め突部４０は前面板部４５の横方向の補強リブ５０に対応して前面板部４５の上下方向の略中央に配置されており、略同一の厚みに形成された横方向の補強リブ５０と左右の位置決めリブ５６との上面及び下面が夫々同一面に構成されている。
【００２９】
位置決め穴部３８は、図４及び図６に示すように、前板カバー３５の位置決め突部４０に対応する位置で前板３４を前後に貫通し且つ内周面が前後方向の全長にわたって略同径の略円形状に形成された貫通穴によって構成されている。位置決め穴部３８の内径は位置決め突部４０の前部側（根元側）の上下及び左右の寸法よりも僅かに小さく構成され、位置決め突部４０を位置決め穴部３８に圧入することにより、前板３４に前板カバー３５が上下及び左右方向に位置決めされるようになっている。また位置決め突部４０及び位置決め穴部３８は、少なくとも一部が左右の縦板３２と左右方向に重複する位置に配置されている。なお、位置決め突部４０及び位置決め穴部３８は縦板３２の近傍に配置しても良い。
【００３０】
係合部４１は、図５〜図９に示すように、前板カバー３５の前面板部４５の裏側に複数個、例えば左右両側とその中間とに３個設けられており、後方に略水平に突出するように前板カバー３５に一体に成型されて、前板３４の後端から後方に前板３４の厚みの半分程度だけ突出している。また左右両側の係合部４１は、左右両端側の位置決め突部４０よりも左右方向の内側に配置されている。係合部４１は、前部側の上下方向に弾性変形可能な帯板状の帯板部５７と、後端側の側面視において略３角形状に下向きに突出する係合突起部５８とを一体に備え、爪状に構成されている。
【００３１】
係合部４１の上側（係合突起部５８の突出方向の反対側）には、係合部４１の左右幅よりも大きい半径を有する前後方向の略円筒状に構成された保護部５９が前板カバー３５に一体に成型されている。保護部５９の下側の後部側には平面視略４角形状の凹欠部６０が形成され、この保護部５９の前側基部から係合部４１が一体に凹欠部６０内に突出しており、保護部５９によって係合部４１が上側から保護されている。また係合部４１及び保護部５９は、保護部５９が前板カバー３５の上下方向の略中央に位置するように配置されている。なお、係合部４１と保護部５９との後端は略面一状になっている。
【００３２】
係合穴部３９は、図４、図６及び図７に示すように、前板カバー３５の係合部４１及び保護部５９に対応する位置で前板３４を前後に貫通する貫通穴によって構成されている。係合穴部３９は、保護部５９の形状に対応して略円形状に構成され、下部側には下向きに略方形状に突出する案内溝３９ａが形成されており、前後方向の全長にわたって略同一断面形状を有している。案内溝３９ａは係合部４１の係合突起部５８と略同じ左右幅を有し、係合部４１の挿入の際に内下面に係合突起部５８が当接して帯板部５７を上向きに弾性変形させる程度の深さに構成されている。
【００３３】
図７に示すように、係合部４１の係合突起部５８は、その前端が前板３４の後端に対応するように設けられている。即ち、前板カバー３５の前面板部４５の補強リブ５０の後端から係合部４１の帯板部５７の後端（係合突起部５８の前端）までの寸法と前板３４の厚みとが略同じになっている。そして係合部４１の帯板部５７が係合穴部３９の案内溝３９ａの内下面に略当接し、係合突起部５８が係合穴部３９の下側で前板３４の裏面に係止されている。また係合穴部３９の上側及び横側の円形部分の内径は保護部５９の外径よりも若干大きくなっていて、保護部５９と係合穴部３９の内壁面との間には隙間が形成されている。
【００３４】
上記構成の前板カバー３５を前板３４に装着する際は、ヒンジ３，４の縦軸廻りに前枠５を開放状態、又は前枠５を外枠２から取り外した状態にしておいて、前板３４の位置決め穴部３８及び係合穴部３９に前板カバー３５の位置決め突部４０及び係合部４１と保護部５９とを挿入する。このとき、位置決め突部４０の後端側が先細り状に形成されると共に、係合穴部３９の上側及び横側が保護部５９より大きく構成されているので、容易に挿入できる。
【００３５】
次に、前板カバー３５の位置決め突部４０に対応する部位を前側から押圧して、前面板部４５の裏面の補強リブ５０の後端が前板３４の前面に当接するまで位置決め突部４０を位置決め穴部３８に圧入する。このとき位置決め突部４０及び位置決め穴部３８はその一部が左右の縦板３２に重複する位置に形成されているので、前板３４に後向きに力を加えるにもかかわらず前板３４が後方に撓むことがなく、位置決め突部４０及び係合部４１を確実に位置決め穴部３８及び係合穴部３９に挿入できる。
【００３６】
また位置決め突部４０の位置決め穴部３８への挿入に従って、係合部４１及び保護部５９が係合穴部３９に挿入されていく。このとき、係合部４１の係合突起部５８が係合穴部３９の案内溝３９ａの内下面に案内されて帯板部５７が上向きに弾性変形しながら後方に移動していき、係合部４１の係合突起部５８が前板３４の後端から完全に後方に突出したときに、帯板部５７が元の略水平状に戻って係合突起部５８が前板３４の裏面に係合し、前板カバー３５が係合部４１及び係合穴部３９により前板３４に係止される。また前板カバー３５は、位置決め穴部３８及び位置決め突部４０により前板３４に上下及び左右方向に確実に位置決めされる。
【００３７】
前板カバー３５を前板３４から取り外すときは、前板３４の裏面側で前板カバー３５の係合部４１の係合突起部５８と保護部５９とを指等でつまみ、係合部４１の帯板部５７を上方向に弾性変形させて前板３４との係合を解除し、前板カバー３５を前側に引き抜くだけでよく、簡単に前板３４から前板カバー３５を取り外すことができる。
【００３８】
このように前板カバー３５が着脱可能なので、例えば前板カバー３５を他のデザインに変更する際などは、容易且つ迅速に作業を行うことができる。また古い外枠２を取り外した後にも、木材の縦板３２、横板３３及び前板３４と合成樹脂の前板カバー３５とを簡単に取り分けることができ、夫々のリサイクルを促進できる。
【００３９】
この弾球遊技機は、外枠２の前板３４に複数個の位置決め穴部３８及び係合穴部３９を設け、位置決め穴部３８及び係合穴部３９に夫々対応する位置決め突部４０及び係合部４１を前板３４に着脱可能に装着される合成樹脂製の前板カバー３５に一体に設けたので、前板３４の上下の部材の有無に関係なく前板３４に対して前板カバー３５を位置決めでき、前板カバー３５を簡単な構造で容易に装着できる。
【００４０】
位置決め穴部３８及び係合穴部３９を前板３４を貫通する貫通穴により構成したので、位置決め穴部３８及び係合穴部３９を容易に形成できる。特に位置決め穴部３８及び係合穴部３９を前後方向の全長にわたって略同一断面形状に構成したので、位置決め穴部３８及び係合穴部３９を更に容易に形成できる。
【００４１】
前板カバー３５に前板３４の上側を覆う前板上カバー部４６を設け、その前板上カバー部４６の後側に前枠５の下端部に対応する立ち壁部５３を設けたので、簡単な構造で前枠５と前板３４との間の隙間から薄板等を挿入して不正をはたらく行為を防止できる。また前板カバー３５に前板上カバー部４６及び前板横カバー部４７を設けたことにより、前板カバー３５の撓みを防止できると共に、その強度も増す。
【００４２】
外枠２の左側に、前枠５を枢着するヒンジ３，４のヒンジ板３６，３７を取り付け、前板上カバー部４６の左側に下のヒンジ４のヒンジ板３７に対応して切り欠き部５１を形成したので、前板上カバー部４６とヒンジ板３７との干渉を防止でき、ヒンジ板３７を従来と同様に前板３４の上面に固定できる。
【００４３】
前板カバー３５の係合部４１を爪状の構造としたので、簡単な構造で確実に前板カバー３５を前板３４に係止できる。また係合部４１の上側に係合部４１を保護する保護部５９を設けたので、係合部４１の破損の惧れを少なくできる。さらに、係合部４１と保護部５９とを指等でつまむことにより係合部４１と前板３４の裏面との係合を簡単に外すことができる。
【００４４】
図１０及び図１１は本発明の第２の実施形態を例示する。この実施形態は位置決め穴部３８と係合穴部３９、及び位置決め突部４０と係合部４１とを夫々一体に構成したものである。図１０に示すように、係合部４１は第１の実施形態と同様にその上側に一体に保護部５９を備えている。位置決め突部４０は、保護部５９とその左右両側から突出する位置決めリブ５６とにより構成されている。位置決めリブ５６は保護部５９の前後方向の略全長にわたって形成され、その後端側が保護部５９向きに傾斜して先細り状に構成されている。また位置決めリブ５６の厚みは前面板部４５の横方向の補強リブ５０の厚みと略同一となっており、位置決めリブ５６と横方向の補強リブ５０との上面及び下面が夫々同一面に構成されている。
【００４５】
一方、前板３４には、図１１に示すように、一体に構成された位置決め突部４０及び係合部４１に対応して位置決め穴部３８及び係合穴部３９を兼用する略円形状の貫通穴６１が形成されている。なお、貫通穴６１の左右方向の寸法は左右の位置決めリブ５６の前部側の左右両端間の寸法よりも僅かに小さくなっており、位置決め突部４０をこの貫通穴６１に圧入することにより、前板３４に前板カバー３５が上下及び左右方向に位置決めされるようになっている。貫通穴６１は前板３４の左右両端側に、外枠２の左右両端側の補強材４４の内側近傍で形成されており、圧入の際に前板３４が撓まないようになっている。
【００４６】
この第２の実施形態でも第１の実施形態と略同様の効果を得ることができると共に、前板カバー３５及び前板３４の構成を簡単にできる。例えば、前板カバー３５の前面板部４５から後方に突出する突部４０，４１の数が少なくなり、前板カバー３５の成型に用いる金型の構成が簡単になる等、製作が容易になる。また前板３４を貫通する穴部３８，３９の個数が少なくなり、前板３４の加工が簡単になり、前板３４の強度も増す。さらに、係合部４１の上側の保護部５９に位置決めリブ５６を一体に設けたことにより保護部５９の強度が増す。
【００４７】
以上、本発明の各実施形態について詳述したが、本発明は各実施形態に限られるものではなく種々の変更が可能である。例えば、前板カバー３５の前板上カバー部４６、前板横カバー部４７及び下板部４８は必ずしも設ける必要はない。即ち、前板カバー３５は少なくとも前側から前板３４を覆い、位置決め突部４０及び係合部４１を一体に備えていれば良い。
【００４８】
位置決め穴部３８と位置決め突部４０、及び係合穴部３９と係合部４１の配置及び個数は適宜変更可能である。例えば、係合穴部３９及び係合部４１は１又は複数設けてあれば良く、実施形態の３個に限られるものではない。位置決め穴部３８及び位置決め突部４０も１又は複数設けてあれば良く、実施形態の２個に限られるものではない。また位置決め穴部３８と位置決め突部４０、及び係合穴部３９と係合部４１は、実施形態のように左右に複数設ける以外にも、上下に複数設けることも可能である。
【００４９】
また第１の実施形態では位置決め穴部３８及び位置決め突部４０は、左右方向において一部が左右の縦板３２と重複する位置に形成されているが、必ずしも左右の縦板３２と重複する位置に形成しなくても良い。その場合、前板３４に前板カバー３５を装着したときに、位置決め突部４０の後端側が前板３４の後端から後方に突出するようにしても良い。なお、圧入の際の前板３４の撓みを防止するためには、左右方向において位置決め穴部３８及び位置決め突部４０と左右の縦板３２とがなるべく近接していることが望ましい。
【００５０】
位置決め突部４０及び係合部４１の形状も各実施形態に限られるものではない。例えば位置決め突部４０は、位置決めリブ５６を設けずにその芯部５５を先細り状に形成しても良い。即ち、位置決め突部４０及び係合部４１は、前板３４側の位置決め穴部３８及び係合穴部３９を介して前板カバー３５を前板３４に位置決め及び係合可能であれば、その形状は適宜変更すれば良い。係合部４１の係合突起部５８は、下向き以外にも、上向き、横向き等に突出して係合穴部３９の上側、横側等で前板３４の裏面に係合するように構成しても良く、その突出方向に対応して帯板部５７の弾性変形可能な方向を適宜変更すれば良い。その場合、保護部５９は、係合突起部５８の突出方向の反対側から係合部４１を覆うように設ければ良い。なお、保護部５９は、その形状を適宜変更しても良いし、必ずしも設けなくても良い。
【００５１】
実施形態では前板カバー３５の前板上カバー部４６の後端側に立ち壁部５３を設けているが、立ち壁部５３は前板上カバー部４６の後側に前枠５の下端部に対応するように設けていれば十分であり、前板上カバー部４６の後側であれば後端側である必要はない。また実施形態では外枠２及び前枠５を積層合板等の木材によって構成しているが、合成樹脂材料、その他により構成しても良い。なお、外枠２の縦板３２、横板３３及び前板３４をタッピングネジ４２により固定しているが、その他のネジ、クギ、ボルト・ナット等により固定しても良い。
【００５２】
その他、本発明はパチンコ機に限らず、アレンジボール、雀球遊技機等の各種の弾球遊技機でも同様に実施することができる。  
【図面の簡単な説明】
【００５３】
【図１】本発明の第１の実施形態を示す弾球遊技機の正面図である。
【図２】本発明の第１の実施形態を示す弾球遊技機の背面図である。
【図３】本発明の第１の実施形態を示す弾球遊技機の側面図である。
【図４】本発明の第１の実施形態を示す外枠の斜視図である。
【図５】本発明の第１の実施形態を示す前板カバー３５の断面図及び正面図である。
【図６】本発明の第１の実施形態を示す要部の断面図である。
【図７】本発明の第１の実施形態を示す要部の断面図である。
【図８】本発明の第１の実施形態を示す要部の背面図である。
【図９】本発明の第１の実施形態を示す要部の斜視図である。
【図１０】本発明の第２の実施形態を示す要部の斜視図である。
【図１１】本発明の第２の実施形態を示す要部の背面図である。
【符号の説明】
【００５４】
２    外枠
３    ヒンジ
４    ヒンジ
５    前枠
８    遊技盤
３２  縦板
３３  横板
３４  前板
３５  前板カバー
３６  ヒンジ板
３７  ヒンジ板
３８  位置決め穴部
３９  係合穴部
４０  位置決め突部
４１  係合部
４６  前板上カバー部
５１  切り欠き部
５３  立ち壁部
【図１】
2007105527.tif 000003
【図２】
2007105527.tif 000004
【図３】
2007105527.tif 000005
【図４】
2007105527.tif 000006
【図５】
2007105527.tif 000007
【図６】
2007105527.tif 000008
【図７】
2007105527.tif 000009
【図８】
2007105527.tif 000010
【図９】
2007105527.tif 000011
【図１０】
2007105527.tif 000012
【図１１】
2007105527.tif 000013